(57)【要約】【課題】  便座及び蓋部材の開閉を行う取手を有するデザイン性の優れた洋式便器を提供する。【解決手段】  便座２に便座開閉用の取手２ａを設置し、蓋部材３に取手２ａと平面方向にずらした位置に蓋開閉用の取手３ａを設置する。【選択図】  図１
2007054084.tif 000002
【特許請求の範囲】
【請求項１】
上方に開口する開口部を有する便器本体と、該便器本体上に便器本体に対して回動可能に設けられた便座と、該便座上に便座及び前記便器本体に対して回動可能に設けられた蓋部材と、を備えた洋式便器において、
前記便座及び蓋部材の少なくとも一方には、平面側方に突出する取手が少なくとも一つ設けられていることを特徴とする洋式便器。
【請求項２】
前記取手は、前記便座及び蓋部材それぞれに平面方向にずらして設けられていることを特徴とする請求項１記載の洋式便器。
【請求項３】
前記取手は、それが設けられている前記便座及び蓋部材の少なくとも一方と一体成型されていることを特徴とする請求項１又は２記載の洋式便器。
【請求項４】
上方に開口する開口部を有する便器本体に該便器本体に対して回動可能に設けられた洋式便器用便座において、
平面側方に突出する取手が少なくとも一つ設けられていることを特徴とする洋式便器用便座。
【請求項５】
上方に開口する開口部を有する便器本体に対して回動可能に設けられた洋式便器用蓋部材において、
平面側方に突出する取手が少なくとも一つ設けられていることを特徴とする洋式便器用蓋部材。
【請求項６】
前記取手は、前記便座及び蓋部材の少なくとも一方に接着剤によって設置されていることを特徴とする請求項１又は２記載の洋式便器。
【請求項７】
上方に開口する開口部を有する便器本体と、該便器本体上に便器本体に対して回動可能に設けられた便座と、該便座上に便座及び前記便器本体に対して回動可能に設けられた蓋部材と、を備えた洋式便器の前記便座及び蓋部材の少なくとも一方に、その平面側方に突出するように取付可能な洋式便器の便座又は蓋部材用取手。
【発明の詳細な説明】
【技術分野】
【０００１】
本発明は、蓋部材の開閉を容易に行うことができる洋式便器に関する。
【背景技術】
【０００２】
従来より、蓋部材の開閉を容易に行うことができる洋式便器が知られており、例えば、特許文献１に開示されている。この洋式便器は、図９に示すように、便座１２及び蓋部材１３を開閉するための取手部材１４が吸盤又は面ファスナーによる取付け部材１５によって便座１２及び蓋部材１３に着脱式に設置され、更に、この取手部材１５が有する図示しないスライド装置の支持棒を上下させることによって、蓋部材１３のみの開閉と便座１２及び蓋１３の同時開閉とを自在に選択して開閉を行うことができるように構成されている。
【０００３】
このような取手を洋式便器に設置することにより、便器や便座に触れることなく便座及び蓋部材を開閉することができるため、衛生的であるとともに、便器及び蓋部材の開閉を容易に行うことができる。
【特許文献１】特開２００５−１４４０４３，００１６〜００１７，図１
【発明の開示】
【発明が解決しようとする課題】
【０００４】
しかしながら、このような従来の洋式便器は、取手部分の仕組みが複雑であるため、利用者にとって使用方法が分かりにくく、また、機械的部品が嵩んで大きいためデザイン性を損ねているとともに、製造コストが高いという問題がある。
【０００５】
そこで、本発明は、単純な機構により取手部分の使用方法が一目瞭然であり、デザイン性を備えるとともに、製造コストの低い、蓋部材を容易に開閉可能な洋式便器、並びにそれに用いられる洋式便器用便座及び洋式便器用蓋部材を提供することを目的とする。
【課題を解決するための手段】
【０００６】
以上の目的を構成するため、本発明は、上方に開口する開口部を有する便器本体と、該便器本体上に便器本体に対して回動可能に設けられた便座と、該便座上に便座及び前記便器本体に対して回動可能に設けられた蓋部材と、を備えた洋式便器において、前記便座及び蓋部材の少なくとも一方には、平面側方に突出する取手が少なくとも一つ設けられていることを特徴とする。
【０００７】
また、本発明は、上方に開口する開口部を有する便器本体に該便器本体に対して回動可能に設けられた洋式便器用便座において、平面側方に突出する取手が少なくとも一つ設けられていることを特徴とする。
【０００８】
さらに、本発明は、上方に開口する開口部を有する便器本体に対して回動可能に設けられた洋式便器用蓋部材において、平面側方に突出する取手が少なくとも一つ設けられていることを特徴とする。
【０００９】
またさらに、本発明は、上方に開口する開口部を有する便器本体と、該便器本体上に便器本体に対して回動可能に設けられた便座と、該便座上に便座及び前記便器本体に対して回動可能に設けられた蓋部材と、を備えた洋式便器の前記便座及び蓋部材の少なくとも一方に、その平面側方に突出するように取付可能であることを特徴とする洋式便器の便座又は蓋部材用取手である。
【発明の効果】
【００１０】
本発明に係る洋式便器、並びにそれに用いられる洋式便器用便座及び洋式便器用蓋部材によれば、機械的な部品を一切備えていない取手が便座及び蓋部材の少なくとも一方に設置されているのみであるため、洋式便器の利用者が取手の使用方法を容易に理解することができ、また、機構が単純であるためデザイン性にも優れ、更に、取手は、便座及び蓋部材とともに一体成型できるため、低コストで製造することができる。
【発明を実施するための最良の形態】
【００１１】
次に、本発明に係る洋式便器の実施例を図面に基づいて説明する。図１は、本発明に係る取手付洋式便器１０の実施例の構成を示す斜視図であり、図２は、便座及び蓋部材が閉じた状態の本実施例に係る洋式便器１０の平面図である。本実施例に係る洋式便器１０は、上方に開口する開口部１ａを有する便器本体１と、便器本体１の上に便器本体１に対して回動可能に設けられた便座２と、便座２の上に便器本体１及び便座２に対して回動可能に設けられた蓋部材３と、を備えている。
【００１２】
本実施例において、便座２には、便座２の面方向に突出した半円形の便座開閉用取手２ａが形成され、蓋部材３には、同じく蓋部材３の面方向に突出した半円形の蓋開閉用取手３ａが形成されている。ここで、便座開閉用取手２ａは、便座２の右半部の後方に形成され、蓋開閉用取手３ａは、蓋部材３の右半部の後方に便座開閉用取手２ａと距離ｄを介して平面方向にずれた位置に形成されている。
【００１３】
本実施例において、便座開閉用取手２ａ及び蓋部材開閉用取手３ａそれぞれは、便座２及び蓋部材３それぞれと一体に成型されており、例えば、プラスチック素材からなる便座２及び蓋部材３の製造工程において、プラスチック素材を型に流し込むことによって製造することができる。
【００１４】
次に、本実施例に係る洋式便器１０の動作について説明する。洋式便器１０の利用者が蓋部材３を開閉しようとするときは、蓋部材開閉用取手３ａを把持して蓋部材３を開閉する。また、蓋部材３及び便座２を開こうとするときは便座開閉用取手２ａを把持して蓋部材３及び便座２を同時に開き、蓋部材３及び便座２を閉じようとするときは、蓋部材開閉用取手３ａ及び便座開閉用取手２ａを両方把持して蓋部材３及び便座２を閉じる。
【００１５】
このように構成された洋式便器１０は、以下のような効果を有する。利用者は、便座開閉用取手２ａ及び蓋部材開閉用取手３ａを把持するため、便座２及び蓋部材３の開閉の際に便座２及び蓋部材３に触れることがなく衛生的であり、取手２ａ及び３ａに手をかけることができるため開閉動作も容易となる。また、便座開閉用取手２ａ及び蓋部材開閉用取手３ａは、便座２及び蓋部材３に直接固定されて設置されているため、複雑な機械部品を要さず、デザイン性にも優れる。更に、便座開閉用取手２ａ及び蓋部材開閉用取手３ａは平面方向に距離ｄを有して互いにずれた位置に配置されているため、蓋部材３が閉じた状態であっても、上面から便座開閉用取手２ａ及び蓋部材開閉用取手３ａの位置を確認することができ、使用者にとって取手２ａ及び３ａの使用方法が分かり易い。
【００１６】
本実施例においては、便座開閉用取手２ａ及び蓋部材開閉用取手３ａは、どちらも右半面の後方に設置したが、図３に示すように、蓋部材開閉用取手３ｂを前方に配置し、便座開閉用取手２ｂを右半面の後方に配置してもよい。これにより、取手付洋式便器を使用するときに必ず用いる蓋部材開閉用取手３ｂが前方に配置されているため、使用者が把持しやすく、便座開閉用取手２ｂが右半面の後方に配置されているため、使用者が便座２上に座ったときに邪魔にならない。また、左利きの利用者のために、便座開閉用取手２ｃ及び蓋部材開閉用取手３ｃを左半面の後方に配置しても良い。
【００１７】
図４は、更に他の実施例における取手付き洋式便器の取手部分を示す平面図である。図４の（ａ）〜（ｅ）の実施例のように、使用者の使い勝手やデザインに応じて、取手の形状、大きさ及び数を変えても良い。
【００１８】
図５は、更に他の実施例における洋式便器２０の斜視図であり、図６は、便座及び蓋部材が閉じた状態の平面図である。なお、図７は、図６のＡ−Ａ’断面図であり、図８は、図６のＢ−Ｂ’断面図である。
【００１９】
この実施例において、便座１２の開閉を行う取手部材５及び蓋部材１３の開閉を行う取手部材６は、便座１２及び蓋部材１３と別部材によって構成されており、接着剤や粘着シートからなる接着部材１４によって便座１２及び蓋部材１３の裏側に固定して接着されている。なお、取手部材５及び６の取り付け高さは、通常便座１２及び蓋部材１３の裏側に設置されている係止部材１２ａ、１３ａの厚み以下であることが好ましい。
【００２０】
本実施例において、取手部材５及び６は、それぞれ便座１２及び蓋部材１３の外周であればどの位置に取り付けてもよい。また、便座１２及び蓋部材１３には、同一形状の取手部材５及び６が１つずつ設置されているが、使用者の用途やデザインに応じて取手部材の形状や数を変えて設置することでも本発明を実施することができる。
【図面の簡単な説明】
【００２１】
【図１】本発明に係る洋式便器を示す斜視図である。
【図２】本実施例に係る洋式便器の平面図である。
【図３】本発明に係る洋式便器の他の実施例を示す平面図である。
【図４】本発明に係る洋式便器の取手の様々な形状を示す一部平面図である。
【図５】本発明に係る他の実施例における洋式便器の取手を示す斜視図である。
【図６】本実施例に係る洋式便器の取手を示す平面図である。
【図７】図６のＡ−Ａ’断面図である。
【図８】図６のＢ−Ｂ’断面図である。
【図９】従来の洋式便器を示す斜視図である。
【符号の説明】
【００２２】
１…便器本体、２、１２…便座、３、１３…蓋部材、１０…洋式便器、４〜６…取手部材、１４…接着部材、１５…取付け部材。
【図１】
2007054084.tif 000003
【図２】
2007054084.tif 000004
【図３】
2007054084.tif 000005
【図４】
2007054084.tif 000006
【図５】
2007054084.tif 000007
【図６】
2007054084.tif 000008
【図７】
2007054084.tif 000009
【図８】
2007054084.tif 000010
【図９】
2007054084.tif 000011